(57)【要約】【課題】  ドキュメント電子データを用紙Ｐや電子ペーパＥＰに表示保持させた一覧性の高い状態として、纏め編集のための煩雑なコンピュータ操作を行わずに、新たなドキュメントに纏め編集することができる作業環境を実現する。【解決手段】  画像読み取り手段１０がドキュメント部分ｄ１、ｄ２、ｄ３を指定するマークＬ及び当該ドキュメントの識別情報Ｃが付された媒体Ｐを画像読込みし、部分特定手段２が画像読み取りされた各ドキュメント中のマーク指定部分ｄ１、ｄ２、ｄ３を特定し、データ取得手段３がドキュメント識別情報Ｃに基づいて特定されたマーク指定部分に対応するドキュメント部分の電子データをデータ保持手段６から取得し、編集手段４がドキュメント部分データに基づいて複数のドキュメント部分ｄ１、ｄ２、ｄ３を所定のレイアウトに配した編集ドキュメントＮＤを生成する。【選択図】  図１
2005269136.tif 000002
【特許請求の範囲】
【請求項１】
媒体に表示保持されたドキュメント中の部分を抽出して新たなドキュメントに纏め編集するドキュメント編集システムであって、
前記媒体に表示保持されたドキュメントの電子データを保持するデータ保持手段と、
ドキュメント部分を指定するマーク及び当該ドキュメントの識別情報が付された媒体に対して画像読込み処理する画像読み取り手段と、
複数の媒体から画像読み取りされた各ドキュメント中の前記マークにより指定されたマーク指定部分を特定する部分特定手段と、
画像読み取りされた前記識別情報に基づいて、前記部分特定手段により特定された前記マーク指定部分に対応するドキュメント部分の電子データを前記データ保持手段から取得するデータ取得手段と、
取得された前記複数の媒体の前記ドキュメント部分のデータに基づいて、前記複数のドキュメント部分を所定のレイアウトに配した編集ドキュメントを生成するドキュメント編集手段と、
を備えたことを特徴とするドキュメント編集システム。
【請求項２】
媒体に表示保持されたドキュメント中の部分を抽出して新たなドキュメントに纏め編集するドキュメント編集システムであって、
前記媒体は、ドキュメントの画像を表示保持する表示機能手段と、表示保持した該ドキュメントの識別情報を保持するメモリと、前記メモリに保持されたドキュメント識別情報を無線送信する無線通信手段とを有した電子ペーパであり、
前記電子ペーパに表示保持されたドキュメントの電子データを保持するデータ保持手段と、
ドキュメント部分を指定するマークが付された前記電子ペーパに対して画像読込み処理する画像読み取り手段と、
画像読み取りされる前記電子ペーパから表示ドキュメント識別情報を受信する無線受信手段と、
複数の前記媒体から画像読み取りされた各ドキュメントから前記マークにより指定されたマーク指定部分を特定する部分特定手段と、
受信したドキュメント識別情報に基づいて、特定された前記マーク指定部分に対応するドキュメント部分の電子データを前記データ保持手段から取得するデータ取得手段と、
取得された複数部分の前記電子データに基づいて、複数の前記ドキュメント部分を所定のレイアウトに配した編集ドキュメントを生成するドキュメント編集手段と、
を備えたことを特徴とするドキュメント編集システム。
【請求項３】
複数の媒体に表示保持されたドキュメントを新たなドキュメントに纏め編集するドキュメント編集システムであって、
前記媒体に表示保持されたドキュメントの電子データを保持するデータ保持手段と、
該ドキュメントのページを画する読み取り領域をもって前記媒体に表示保持されたドキュメント及び当該ドキュメントの識別情報を画像読み取り処理する画像読み取り手段と、
画像読み取りされた該ドキュメントの読み取り領域に対する位置を特定する位置特定手段と、
画像読み取りされた該ドキュメント識別情報に基づいて、対応するドキュメントの電子データを前記データ保持手段から取得するデータ取得手段と、
取得された複数の前記ドキュメントの電子データに基づいて、複数の前記媒体から読み取られたドキュメントを各々特定された位置に応じて配置した編集ドキュメントを生成するドキュメント編集手段と、
を備えたことを特徴とするドキュメント編集システム。
【請求項４】
複数の媒体に表示保持されたドキュメントを新たなドキュメントに纏め編集するドキュメント編集システムであって、
前記媒体は、該ドキュメントの画像を表示保持する表示機能手段と、表示保持した該ドキュメントの識別情報を保持するメモリと、前記メモリに保持されたドキュメント識別情報を無線送信する無線通信手段とを有した電子ペーパであり、
前記電子ペーパに表示保持された該ドキュメントの電子データを保持するデータ保持手段と、
ドキュメントのページを画する読み取り領域をもって前記電子ペーパに表示保持されたドキュメントを読み取る画像読み取り手段と、
画像読み取りされる前記電子ペーパの表示ドキュメントの識別情報を受信する無線受信手段と、
画像読み取りされたドキュメントの読み取り領域に対する位置を特定する位置特定手段と、
受信したドキュメント識別情報に基づいて、対応するドキュメントの電子データを前記データ保持手段から取得するデータ取得手段と、
取得された複数のドキュメントの電子データに基づいて、複数の前記媒体から読み取られたドキュメントを各々特定された位置に応じて配置した編集ドキュメントを生成するドキュメント編集手段と、
を備えたことを特徴とするドキュメント編集システム。
【請求項５】
媒体に表示保持されたドキュメント中の部分を抽出して新たなドキュメントに纏め編集するドキュメント編集システムであって、
前記媒体に表示保持されたドキュメントの電子データを保持するデータ保持手段と、
ドキュメント部分を指定するマーク及び当該ドキュメントの識別情報が付された媒体に対して画像読込み処理する画像読み取り手段と、
媒体から画像読み取りされたドキュメント中の前記マークにより指定されたマーク指定部分を特定する部分特定手段と、
画像読み取りされたドキュメント部分の読み取り領域に対する位置を特定する位置特定手段と、
画像読み取りされた前記ドキュメント識別情報に基づいて、特定された前記マーク指定部分に対応するドキュメント部分の電子データを前記データ保持手段から取得するデータ取得手段と、
取得された複数の前記ドキュメント部分データに基づいて、複数の前記ドキュメント部分を各々特定された位置に応じて配置した編集ドキュメントを生成するドキュメント編集手段と、
を備えたことを特徴とするドキュメント編集システム。
【請求項６】
媒体に表示保持されたドキュメント中の部分を抽出して新たなドキュメントに纏め編集するドキュメント編集システムであって、
前記媒体は、ドキュメントの画像を表示保持する表示機能手段と、表示保持した該ドキュメントの識別情報を保持するメモリと、前記メモリに保持された前記ドキュメント識別情報を無線送信する無線通信手段とを有した電子ペーパであり、
前記電子ペーパに表示保持されたドキュメントの電子データを保持するデータ保持手段と、
ドキュメント部分を指定するマークが付された電子ペーパに対して画像読込み処理する画像読み取り手段と、
画像読み取りされる電子ペーパから表示ドキュメントの識別データを受信する無線受信手段と、
媒体から画像読み取りされたドキュメントから前記マークにより指定されたマーク指定部分を特定する部分特定手段と、
画像読み取りされたドキュメント部分の読み取り領域に対する位置を特定する位置特定手段と、
受信した前記ドキュメント識別情報に基づいて、特定された前記マーク指定部分に対応するドキュメント部分の電子データを前記データ保持手段から取得するデータ取得手段と、
取得された複数ドキュメントの電子データに基づいて、複数の前記媒体から読み取られたドキュメント部分を各々特定された位置に応じて配置した編集ドキュメントを生成するドキュメント編集手段と、
を備えたことを特徴とするドキュメント編集システム。
【請求項７】
請求項１又は請求項２又は請求項５又は請求項６に記載のドキュメント編集システムにおいて、
前記データ保持手段が保持するドキュメントの電子データは、当該ドキュメントを構成する複数の部分の電子データを関連付けた構造化データであることを特徴とするドキュメント編集システム。
【請求項８】
請求項１又は請求項２に記載のドキュメント編集システムにおいて、
前記ドキュメント編集手段は、画像読み取りした順に従った順序で複数のドキュメント部分をレイアウト配置して編集ドキュメントを生成されることを特徴とするドキュメント編集システム。
【請求項９】
請求項１乃至請求項６のいずれか１項に記載のドキュメント編集システムにおいて、
前記ドキュメント編集手段は、ドキュメント又はドキュメント部分を拡大又は縮小してページに配置することで編集ドキュメントを生成することを特徴とするドキュメント編集システム。
【請求項１０】
媒体に表示保持されたドキュメント中の部分を抽出して新たなドキュメントに纏め編集するドキュメント編集方法であって、
データ保持手段が、前記媒体に表示保持されるドキュメントの電子データを保持し、
画像読み取り手段が、ドキュメント部分を指定するマーク及び当該ドキュメントの識別情報が付された媒体に対して画像読込み処理し、
部分特定手段が、複数の媒体から画像読み取りされた各ドキュメント中の前記マークにより指定されたマーク指定部分を特定し、
データ取得手段が、画像読み取りされた前記ドキュメント識別情報に基づいて、特定されたマーク指定部分に対応するドキュメント部分の電子データをデータ保持手段から取得し、
前記ドキュメント編集手段が、取得された複数の前記ドキュメントの部分データに基づいて、複数の前記ドキュメント部分を所定のレイアウトに配した編集ドキュメントを生成することを特徴とするドキュメント編集方法。
【請求項１１】
ドキュメントの画像を表示保持する表示機能手段と、表示保持したドキュメントの識別情報を保持するメモリと、前記メモリに保持されたドキュメント識別情報を無線送信する無線通信手段とを有する電子ペーパにドキュメントを表示保持させ、当該表示保持されたドキュメント中の部分を抽出して新たなドキュメントに纏め編集するドキュメント編集方法であって、
データ保持手段が、前記電子ペーパに表示保持されたドキュメントの電子データを保持し、
画像読み取り手段が、ドキュメント部分を指定するマークが付された電子ペーパに対して画像読込み処理し、
無線受信手段が、画像読み取りされる前記電子ペーパから表示ドキュメントの識別データを受信し、
部分特定手段が、複数の前記媒体から画像読み取りされた各ドキュメントから前記マークにより指定されたマーク指定部分を特定し、
前記データ取得手段が、受信した前記ドキュメント識別情報に基づいて、特定された前記マーク指定部分に対応するドキュメント部分の電子データをデータ保持手段から取得し、
ドキュメント編集手段が、取得された複数部分の前記電子データに基づいて、複数の前記ドキュメント部分を所定のレイアウトに配した編集ドキュメントを生成することを特徴とするドキュメント編集方法。
【請求項１２】
複数の媒体に表示保持されたドキュメントを新たなドキュメントに纏め編集するドキュメント編集方法であって、
データ保持手段が、前記媒体に表示保持されたドキュメントの電子データを保持し、
画像読み取り手段が、ドキュメントのページを画する読み取り領域をもって前記媒体に表示保持されたドキュメント及び当該ドキュメントの識別情報を画像読み取り処理し、
位置特定手段が、画像読み取りされた該ドキュメントの読み取り領域に対する位置を特定し、
データ取得手段が、画像読み取りされたドキュメント前記識別情報に基づいて、対応するドキュメントの電子データをデータ保持手段から取得し、
ドキュメント編集手段が、取得された複数の前記ドキュメントの電子データに基づいて、複数の前記媒体から読み取られたドキュメントを各々特定された位置に応じて配置した編集ドキュメントを生成することを特徴とするドキュメント編集方法。
【請求項１３】
ドキュメントの画像を表示保持する表示機能手段と、表示保持したドキュメントの識別情報を保持するメモリと、前記メモリに保持されたドキュメント識別情報を無線送信する無線通信手段とを有する電子ペーパにドキュメントを表示保持させ、複数の前記電子ペーパに表示保持されたドキュメントを新たなドキュメントに纏め編集するドキュメント編集方法であって、
データ保持手段が、前記電子ペーパに表示保持されたドキュメントの電子データを保持し、
画像読み取り手段が、ドキュメントのページを画する読み取り領域をもって前記電子ペーパに表示保持されたドキュメントを読み取り、
無線受信手段が、画像読み取りする電子ペーパから表示ドキュメントの識別情報を受信し、
位置特定手段が、画像読み取りされたドキュメントの読み取り領域に対する位置を特定し、
データ取得手段が、受信したドキュメント識別情報の前記に基づいて、対応するドキュメントの電子データをデータ保持手段から取得し、
ドキュメント編集手段が、取得された複数ドキュメントの前記電子データに基づいて、複数の前記媒体から読み取られたドキュメントを各々特定された位置に応じて配置した編集ドキュメントを生成することを特徴とするドキュメント編集方法。
【発明の詳細な説明】
【技術分野】
【０００１】
本発明は、ドキュメントを構成する電子データを用紙や電子ペーパ等といった様々な媒体で表示保持したドキュメントを用いて、当該ドキュメントを構成する電子データを編集することができるドキュメント編集技術に関し、特に、複数のドキュメント又はドキュメント部分を新たなドキュメントに纏め編集するドキュメント編集技術に関する。
【背景技術】
【０００２】
ドキュメントは、コンピュータにより作成した文書や画像、デジタルカメラで撮影した画像、ネットワーク上から取得した画像等、様々な電子的なメディアデータにより構成されており、このようなドキュメントは画面表示や印刷出力等によってユーザの閲覧に供される他、コンピュータの編集編集ソフトウエアによりドキュメント電子データを編集して新たなドキュメントを作成するいわゆる電子編集にも供されている。
【０００３】
電子編集では、コンピュータの表示画面にドキュメントを画像表示し、ユーザがマウスやキーボード等の操作手段からコマンドを入力して、当該ドキュメント（電子データ）に種々な編集を加えることができる。この編集作業では、或るドキュメント中の部分を切り取って新たなドキュメントに貼り付けるといったカット・ペースト作業も行われ、例えば、複数の文書中の必要部分だけを抜き出して１つのドキュメントに纏めるといった場合には、カット・ペースト作業は必須の編集作業である。
従来では、このような複数のドキュメントやドキュメントの構成部分を新たなドキュメントに纏める編集作業は、ユーザがコンピュータを操作してドキュメント電子データを編集することにより行っていた。
【発明の開示】
【発明が解決しようとする課題】
【０００４】
しかしながら、上記のようなコンピュータ操作によるドキュメント電子データの編集作業にあっては、コンピュータハードウエアの制約によって極めて作業性が悪いという課題があった。
具体的には、コンピュータの表示画面に表示されるドキュメントの範囲は画面の大きさに制約されるため、ドキュメント中の必要な部分を編集しようとする場合には、当該部分を画面表示させるためにスクロール操作を繰り返し行わなければならない。また、複数のドキュメントを編集対象とする場合には、画面表示するドキュメントを切換え操作しなければならず、また、それぞれ異なるドキュメントを表示する複数のウインドウを画面表示したとしても、これら重なり表示されるウインドウを画面前面に切換える操作を行わなければならない。
【０００５】
このように操作負担を軽減するために、従来では、編集対象のドキュメントを紙媒体（用紙）に印刷出力して、当該ドキュメントの内容を一覧できる状態とし、ユーザが印刷出力されたドキュメントを見ながらコンピュータ操作をしてドキュメント電子データを編集するといった作業が行われている。
しかしながら、このような編集作業にあっては、印刷出力されたドキュメントは編集作業後にはゴミとなって紙資源を浪費してしまうばかりか、多数の印刷物が氾濫してオフィスの作業環境が雑然としてしまう課題があった。また、このような印刷出力を行った場合にあっても、電子データの編集処理はユーザがコンピュータを操作することにより行うため、スクロールやカット・ペースト等の煩雑な操作を行わなければならなかった。更には、幾人かのユーザが集まって編集作業をする場合には、コンピュータを操作するユーザは１人だけであるので、各ユーザの編集意図を当該操作者ユーザに円滑に伝えて編集作業を進めることが困難であった。
【０００６】
本発明は、上記従来の事情に鑑みなされたもので、煩雑なコンピュータ操作を行わずとも、電子ペーパへの光書き込み電子書き込み処理、紙媒体への印刷等により、これら媒体にドキュメントを表示保持させた一覧性の高い状態によりドキュメントの纏め編集処理を実現することを目的としている。
【課題を解決するための手段】
【０００７】
本発明では、用紙や電子ペーパ等といった媒体に表示保持されたドキュメント中の部分を抽出して新たなドキュメントに纏め編集するために、データ保持手段が媒体に表示保持されるドキュメントの電子データを保持し、画像読み取り手段がドキュメント部分を指定するマーク及び当該ドキュメントの識別情報が付された媒体に対して画像読込み処理し、部分特定手段が複数の媒体から画像読み取りされた各ドキュメント中のマーク指定部分を特定し、データ取得手段が画像読み取りされたドキュメント識別情報に基づいて特定されたマーク指定部分に対応するドキュメント部分の電子データをデータ保持手段から取得し、ドキュメント編集手段が取得された複数のドキュメント部分データに基づいて複数のドキュメント部分を所定のレイアウトに配した編集ドキュメントを生成する。
ここで、ドキュメント識別情報は、コード記号を媒体表面に表示記録する等の方法でドキュメント部分を指定するマークとともに画像読込み可能な態様で付されればよい。
【０００８】
また、本発明において、特に、ドキュメントの画像を表示保持する表示機能手段と、表示保持したドキュメントの識別情報を保持するメモリと、メモリに保持されたドキュメント識別情報を無線送信する無線通信手段とを有する電子ペーパにドキュメントを表示保持させる場合には、ドキュメントの識別情報を無線受信処理することもできる。すなわち、データ保持手段が電子ペーパに表示保持されたドキュメントの電子データを保持し、画像読み取り手段がドキュメント部分を指定するマークが付された電子ペーパに対して画像読込み処理し、無線受信手段が画像読み取りされる電子ペーパから表示ドキュメントの識別情報を受信し、部分特定手段が複数の媒体から画像読み取りされた各ドキュメントからマーク指定部分を特定し、データ取得手段が受信したドキュメント識別情報に基づいて特定されたマーク指定部分に対応するドキュメント部分の電子データをデータ保持手段から取得し、ドキュメント編集手段が取得された複数部分の電子データに基づいて複数のドキュメント部分を所定のレイアウトに配した編集ドキュメントを生成する。
【０００９】
したがって、上記の本発明によると、例えば、ドキュメント中の部分を切り出してスクラップブックを作成するような作業において、ユーザが媒体に表示されたドキュメント中の必要な部分に囲み線や下線等を付して画像読込みさせる作業をするだけで、纏め編集のための煩雑なコンピュータ操作を行わずにドキュメント電子データを編集することができる。しかも、この編集作業は編集対象のドキュメントを一覧性の高い状態として行うことができ、更には、幾人かのユーザが編集作業を行う場合でも各ユーザの編集意図をそのまま反映させることができる。すなわち、本発明によると、ドキュメント電子データをユーザが手にとって編集するが如き作業環境を実現することができる。
なお、ドキュメント編集手段は設定に応じた種々なレイアウトでドキュメント部分を配置して編集ドキュメントを生成することができるが、例えば、画像読み取りした順に従った順序で複数のドキュメント部分をレイアウト配置して編集ドキュメントを生成するようにすれば、ユーザが画像読み取り操作によって生成される編集ドキュメント中の配置関係を直感的に把握することができる。
【００１０】
本発明では、用紙や電子ペーパ等といった複数の媒体に表示保持されたドキュメントを新たなドキュメントに纏め編集するために、データ保持手段が媒体に表示保持されたドキュメントの電子データを保持し、画像読み取り手段がドキュメントのページを画する読み取り領域をもって媒体に表示保持されたドキュメント及び当該ドキュメントの識別情報を画像読み取り処理し、位置特定手段が画像読み取りされたドキュメントの読み取り領域に対する位置を特定し、データ取得手段が画像読み取りされたドキュメント識別情報に基づいて対応するドキュメントの電子データをデータ保持手段から取得し、ドキュメント編集手段が取得された複数のドキュメント電子データに基づいて複数の媒体から読み取られたドキュメントを各々特定された位置に応じて配置した編集ドキュメントを生成する。
【００１１】
また、本発明において、特に、ドキュメントの画像を表示保持する表示機能手段と、表示保持したドキュメントの識別情報を保持するメモリと、メモリに保持されたドキュメント識別情報を無線送信する無線通信手段とを有する電子ペーパにドキュメントを表示保持させ場合には、ドキュメントの識別情報を無線受信処理することもできる。すなわち、データ保持手段が電子ペーパに表示保持されたドキュメントの電子データを保持し、画像読み取り手段がドキュメントのページを画する読み取り領域をもって電子ペーパに表示保持されたドキュメントを読み取り、無線受信手段が画像読み取りする電子ペーパから表示ドキュメントの識別情報を受信し、位置特定手段が画像読み取りされたドキュメントの読み取り領域に対する位置を特定し、データ取得手段が受信したドキュメント識別情報に基づいて対応するドキュメントの電子データをデータ保持手段から取得し、ドキュメント編集手段が取得された複数ドキュメントの電子データに基づいて、複数の媒体から読み取られたドキュメントを各々特定された位置に応じて配置した編集ドキュメントを生成する。
画像読み取り手段のページを画する読み取り領域は、例えばスキャナのプラテンにマークや囲み線を設定する等して、ユーザが認識できる態様であればよい。
【００１２】
したがって、上記の本発明によると、例えば、複数のドキュメントを纏めてスクラップブックを作成するような作業において、ユーザが媒体に表示されたドキュメントを所望の配置位置で画像読込みさせる作業をするだけで、纏め編集のための煩雑なコンピュータ操作を行わずに、複数のドキュメント電子データを新たなドキュメント中での配置位置を指定して纏め編集することができる。しかも、この編集作業は編集対象のドキュメントを一覧性の高い状態として行うことができ、更には、幾人かのユーザが編集作業を行う場合でも各ユーザの編集意図をそのまま反映させることができる。すなわち、本発明によると、ドキュメント電子データをユーザが手にとって編集するが如き作業環境を実現することができる。
【００１３】
本発明では、媒体に表示保持されたドキュメント中の部分を抽出し、ドキュメント中での配置を指定して新たなドキュメントに纏め編集するために、データ保持手段が媒体に表示保持されたドキュメントの電子データを保持し、画像読み取り手段がドキュメント部分を指定するマーク及び当該ドキュメントの識別情報が付された媒体に対して画像読込み処理し、部分特定手段が媒体から画像読み取りされたドキュメント中のマーク指定部分を特定し、位置特定手段が  画像読み取りされたドキュメント部分の読み取り領域に対する位置を特定し、データ取得手段が画像読み取りされたドキュメント識別情報に基づいて特定されたマーク指定部分に対応するドキュメント部分の電子データをデータ保持手段から取得し、ドキュメント編集手段が取得された複数のドキュメント部分データに基づいて複数のドキュメント部分を各々特定された位置に応じて配置した編集ドキュメントを生成する。
【００１４】
また、本発明において、特に、ドキュメントの画像を表示保持する表示機能手段と、表示保持したドキュメントの識別情報を保持するメモリと、メモリに保持されたドキュメント識別情報を無線送信する無線通信手段とを有する電子ペーパにドキュメントを表示保持させ場合には、データ保持手段が電子ペーパに表示保持されたドキュメントの電子データを保持し、画像読み取り手段がドキュメント部分を指定するマークが付された電子ペーパに対して画像読込み処理し、無線受信手段が画像読み取りされる電子ペーパから表示ドキュメントの識別データを受信し、部分特定手段が媒体から画像読み取りされたドキュメントからマーク指定部分を特定し、位置特定手段が画像読み取りされたドキュメント部分の読み取り領域に対する位置を特定し、データ取得手段が受信したドキュメント識別情報に基づいて特定されたマーク指定部分に対応するドキュメント部分の電子データをデータ保持手段から取得し、ドキュメント編集手段が  取得された複数ドキュメントの電子データに基づいて複数の媒体から読み取られたドキュメント部分を各々特定された位置に応じて配置した編集ドキュメントを生成する。
【００１５】
したがって、上記の本発明によると、例えば、複数のドキュメント部分を纏めてスクラップブックを作成するような作業において、ユーザが媒体に表示されたドキュメント中の所望の部分をマークして所望の配置位置で画像読込みさせる作業をするだけで、纏め編集のための煩雑なコンピュータ操作を行わずに、複数のドキュメント電子データを新たなドキュメント中での配置位置を指定して纏め編集することができる。しかも、この編集作業は編集対象のドキュメントを一覧性の高い状態として行うことができ、更には、幾人かのユーザが編集作業を行う場合でも各ユーザの編集意図をそのまま反映させることができる。すなわち、本発明によると、ドキュメント電子データをユーザが手にとって編集するが如き作業環境を実現することができる。
【００１６】
ここで、本発明では、ドキュメント編集手段は、生成する編集ドキュメントのページサイズに応じてドキュメント又はドキュメント部分を拡大又は縮小してページに配置して、これらドキュメント又はドキュメント部分が編集ドキュメント中に整然と納められるようにするのが好ましい。
また、本発明では、公知の画像認識処理技術を用いてドキュメント中にマークを付された部分を特定し、当該特定した範囲に対応するドキュメント電子データ部分を抽出すればよいが、ドキュメント電子データがドキュメントを構成する複数の部分の電子データを関連付けた構造化データである場合には、当該部分の抽出処理をさらに容易に行うことができる。
【発明の効果】
【００１７】
本発明によると、編集対象のドキュメントを一覧性の高い状態として、纏め編集のための煩雑なコンピュータ操作を行わずに、複数のドキュメント電子データを新たなドキュメントに纏め編集することができ、ドキュメント電子データをユーザが手にとって編集するが如き作業環境を実現することができる。
【発明を実施するための最良の形態】
【００１８】
本発明を実施例に基づいて具体的に説明する。
図１には本発明の第１実施例に係るドキュメント編集システムを示してあり、本実施例では媒体としての用紙Ｐに編集対象のドキュメントＤ１、Ｄ２を印刷することにより表示保持させて、当該ドキュメント中の部分を抽出して新たなドキュメントＮＤに纏め編集している。
なお、本発明では、媒体はドキュメントや当該ドキュメントの識別情報を表示保持するものであれば種々な媒体をもちいることができるので、後述する電子ペーパＥＰを用いることもできる。
【００１９】
編集作業に際して、編集対象のドキュメントＤ１、Ｄ２はそのドキュメント電子データに基づいてプリンタ（図示せず）により用紙Ｐに印刷され、ユーザが当該ドキュメントＤ１、Ｄ２中の所望の部分ｄ１、ｄ２、ｄ３を囲み線Ｌを用紙Ｐに書き込んでマーキングする。
また、プリンタによる印刷処理で、用紙ＰにはドキュメントＤ１、Ｄ２とともに当該ドキュメントを識別するためのＩＤコードを含むバーコードＣが用紙Ｐ上の所定の位置に印刷されており、後述するように、ＩＤコードにより各々識別されて保持されているドキュメントの電子データとの対応が付けられている。なお、このドキュメント識別情報は、ＱＲコード等の他の形式の２次元コードや、コード番号等であってもよく、要は、印刷されたドキュメントとその電子データとを対応付ける情報を画像認識処理によって取得できるものであればよい。
【００２０】
ここで、図示の例では編集対象となる２つのドキュメントＤ１、Ｄ２中から３つの部分ｄ１、ｄ２、ｄ３をマークＬで指定しているが、本発明では、編集対象となるドキュメントは１以上の任意の数でよく、また、ドキュメント中からマーク指定される部分も１以上の任意の数でよい。また、図示の例ではドキュメント中の部分を囲み線Ｌで囲むことにより抽出部分を指定しているが、本発明では、抽出部分の文に下線を付す、抽出部分を残して他の部分を塗り潰したりテープを貼る等して隠す、これとは逆に抽出部分を塗り潰したりテープを貼る等して隠す等といった種々なマーキング方法を採用することができ、要は、画像認識処理によってドキュメントＤ中からマーク指定部分を特定し得る方法であればよい。
【００２１】
本例のシステムの中核を成すレイアウト編集装置１には画像読み取り手段としてのスキャナ１０が接続されており、ユーザは、所望部分のマーキングをした後に、スキャナ１０により用紙Ｐに印刷されたドキュメントＤ１、Ｄ２を画像読み取りさせる。
レイアウト編集装置１は、コンピュータに本発明に係る処理を実行するためのプログラムを実行させることにより、部分特定手段２、データ取得手段３、編集手段４、出力手段５が構成されており、また、上記プリンタによる印刷に用いられる複数のドキュメントデータを各々ＩＤコードで識別して保持するデータ保持手段（データベースメモリ）６を有している。
【００２２】
部分特定手段２は、スキャナ１０により読み取られた各ドキュメントＤ１、Ｄ２の画像を解析して、マークＬにより指定された部分ｄ１、ｄ２、ｄ３を特定する。この特定処理は、予め指定用マークとして設定された特殊なマークである場合には、当該特殊マークを画像中から識別して指定部分を特定する処理を行えばよいが、一般的なマーキング方法である場合には、例えば、スキャナ１０によりドキュメントＤ１、Ｄ２とともに読み取られたバーコードＣの画像を認識してＩＤコード化し、当該ＩＤコードに対応するドキュメント電子データをデータ保持部６から取得して、当該ドキュメント電子データに基づくドキュメント画像とスキャナ１０で読み取ったドキュメント画像との比較により、マーク指定部分ｄ１、ｄ２、ｄ３を特定すればよい。
【００２３】
データ取得手段３は、部分特定手段２により特定されたマーク指定部分ｄ１、ｄ２、ｄ３の電子データを取得する。この取得処理は、データ保持手段６からＩＤコードで対応するドキュメント電子データを取得して、マーク指定部分ｄ１、ｄ２、ｄ３に該当する電子データを抽出することにより行われ、例えば、上記と同様に、ドキュメント電子データに基づくドキュメント画像とスキャナ１０で読み取ったドキュメント画像とを比較し、マーク指定部分に該当するドキュメント電子データ中の部分を特定して抽出すればよい。
ここで、図７に示すように、ＨＴＭＬ等の構造化データ形式でドキュメント電子データが構成されている場合には、ドキュメント電子データはドキュメントフォームに当該ドキュメントを構成する複数の部分（パーツ）の実体データを関連付けた構造であるので、マーク指定された部分（パーツ）のデータを抽出することにより、容易にマーク指定部分に該当するドキュメント電子データ中の部分を抽出することができる。
【００２４】
編集手段４は、データ取得手段３により取得された複数のマーク指定部分ｄ１、ｄ２、ｄ３の電子データに基づいて、これらドキュメント部分ｄ１、ｄ２、ｄ３を所定のレイアウトに配した編集ドキュメントＮＤを生成する。図示の例では、Ｄ１、Ｄ２の順で画像読み取りすることに応じて、当該順序に従った順番でドキュメント部分ｄ１、ｄ２、ｄ３を順に配した新たなドキュメントＮＤの電子データを作成する。
そして、編集手段４により生成された新たなドキュメントＮＤの電子データは出力手段５により出力される。この出力処理は、新たなドキュメントＮＤの電子データをデータ保持手段６にＩＤコードを付して格納する、新たなドキュメントＮＤをディスプレイ装置の画面に表示出力する、新たなドキュメントＮＤをプリンタにより印刷出力する等の任意の態様でよい。
【００２５】
ここで、図８〜図１０には、上記の画像の読み取り順に応じたマーク指定部分の具体的なレイアウト配置例を示してある。
図８に示す例は、編集対象としての３つのドキュメントＤ１、Ｄ２、Ｄ３を順に画像読み取りした場合、これらドキュメントに含まれているマーク指定部分ｄ１、ｄ２、ｄ３を当該読み取り順序に並べた編集ドキュメントＮＤを生成するものである。なお、画像読み取りのスキャン方法は、３枚のドキュメント用紙をスキャナ１０のプラテンに順々に載せ換えて１枚ずつ画像読み取りしても、或いは、３枚のドキュメント用紙を同時にスキャナ１０のプラテンに乗せて連続して画像読み取りしてもよい。
【００２６】
図９に示す例は、編集対象としての３つのドキュメントＤ１、Ｄ２、Ｄ３の内にマーク指定部分を含まないドキュメントＤ２がある場合に、これら３つのドキュメントＤ１、Ｄ２、Ｄ３を順に画像読み取りすると、ドキュメントＤ２は無視して、マーク指定部分ｄ１、ｄ２、ｄ３を当該読み取り順序に並べた編集ドキュメントＮＤを生成するものである。
図１０に示す例は、編集手段５に対してユーザがレイアウト設定を行うことにより、編集ドキュメントＮＤ配置されるマーク指定部分ｄ１、ｄ２、ｄ３を縦並びと横並びとに変更できるものである。なお、本発明では、編集手段５による配置処理を設定することにより、上記の例以外にも種々な態様でレイアウト配置することができるのは言うまでもなく、更には、編集手段５に対する設定により、編集ドキュメントＮＤのフォーム（紙面）に余裕がある場合にはマーク指定部分を拡大して配置したり、マーク指定部分の数が多くて編集ドキュメントＮＤのフォームに余裕がない場合にはマーク指定部分を縮小して配置するようにしてもよい。
【００２７】
したがって、上記のドキュメント編集システムによると、ユーザが用紙Ｐに表示されたドキュメントＤ１、Ｄ２中の必要な部分ｄ１、ｄ２、ｄ３に囲み線Ｌを付して画像読込みさせる作業をするだけで、纏め編集のための煩雑なコンピュータ操作を行わないドキュメント電子データをユーザが手にとって編集するが如き作業により、ドキュメント電子データを編集して新たなドキュメント電子データＮＤを生成することができる。
【００２８】
図２には本発明の第２実施例に係るドキュメント編集システムを示してあり、本実施例では媒体としての電子ペーパＥＰに編集対象のドキュメントＤ１、Ｄ２を書き込んで表示保持させて、当該ドキュメント中の部分を抽出して新たなドキュメントＮＤに纏め編集している。また、本実施例では、レイアウト編集装置１は電子ペーパＥＰとの間で無線通信を行う無線通信機１１を有している。
なお、図１に示した例と同様な部分には同一符号を付して重複する説明は省略する。
【００２９】
まず、本実施例に利用される電子ペーパＥＰを、図１２〜図１５に示す例及び図１６〜図１８に示す例を参照して説明する。
電子ペーパＥＰには、表示情報の記録方式の違いにより大別して、図１２〜図１５に示す光書き込み型と、図１６〜図１８に示す自己書き換え型とがあり、いずれの形式にあっても電子ペーパと称せられるように紙の様に薄型の情報表示保持装置である。
【００３０】
図１２（ａ）には光書き込み型電子ペーパＥＰを正面視して示し、同図（ｂ）には当該光書き込み型電子ペーパＥＰを側面視で示してある。なお、図示の電子ペーパＥＰはドキュメント等の情報画像を表示保持する表示部２２と電子データの処理を司る処理部２３とを有しており、同図（ａ）には処理部２３に内蔵されている諸機能部も表してある。
光書き込み型電子ペーパＥＰは、例えばＡ４版の用紙のような大きさのフレキシブルな薄型であり、大部分の面積を占める表示部２２の一片に処理部２３が設けられている。なお、表示部２２の大きさは任意であり、用途に応じた大きさのものとされる。
【００３１】
処理部２３には、後述するように表示部２２を駆動する電圧を印加するための電極２４、外部と無線通信するための無線部２５、電子データを読み書き自在に保持するメモリ２６、無線部２５やメモリ２６の駆動電力を供給するバッテリ２７が設けられている。
光書き込み型電子ペーパＥＰは、レイアウト編集装置１に設けられた無線通信機１１等の外部の無線機器と無線部２５で無線通信することにより表示保持するドキュメントのＩＤコードデータを送受信し、また、ＩＤコードデータをメモリ２６に保持することができる。
【００３２】
例えば、光書き込み型電子ペーパＥＰは、図１３に示すように液晶パネル２０に電子データに基づいてドキュメント画像を表示し、電極４４に外部の電源から電圧を印加しながら光書き込み型電子ペーパＥＰを液晶パネル２０に重ねて光を照射することにより、液晶パネル２０に表示させたドキュメント画像を表示部２２に転写して表示保持させることができる。
なお、電極２４に電圧を印加しながら光書き込み型電子ペーパＥＰにドキュメント用紙等の文書紙を重ねて光を照射することによっても、文書用紙の記載内容画像を表示部２２に転写して表示保持させることもでき、要は、光書き込み型電子ペーパＥＰは電極２４に電圧を印加することで投影された画像情報を表示部２２に転写し、電極２４に印加した電圧を除去した後も当該画像情報を表示状態で保持し続ける機能を有している。
【００３３】
光書き込み型電子ペーパＥＰは、表示部２２の断面構造を表す図１５に示すように、複写機に利用されている有機光導電性材料の層（有機光導電層）３０と液晶表示材料の層（マイクロカプセル化したコレステリック液晶層）３１とを組み合わせ、これら層を表裏一対の透明電極３２で挟み、この積層体を表裏一対の透明な基材フィルム３３で挟んだ構造となっている。なお、この構成では、コレステリック液晶層３１が光を反射する白表示と、光が液晶層３１を透過しコレステリック液晶層３１と有機光導電層３０との間に設けられた黒色層３４で吸収される黒表示のモノクロ画像表示が可能である。さらにコレステリック液晶には螺旋ピッチに応じたカラー光を干渉反射するという特性があるので、コレステリック液晶層３１を螺旋ピッチの異なる液晶を積層した構成にすることにより、簡単な構造でカラー表示を実現することも可能である。
【００３４】
そして、光書き込み型電子ペーパＥＰは、表示部２２の動作原理を表す図１４に示すように、例えば画像書込み用の調光素子パネル（発光パネル）３５に転写するドキュメント画像を表示して表示部２２に投影し、電極２４に電圧を印加すると、光の強弱を瞬時に反射濃度に変換して当該投影画像を保持する。そして、電極２４に消去電圧を印加することにより表示部２２に保持された画像情報を消去することができ、光書き込み型電子ペーパＥＰは書き込みと消去を繰り返して幾度も再使用することができる。なお、光書き込み型電子ペーパＥＰはこのような消去処理を行わずに、上記のように電極２４に電圧を印加して新たな画像を投影することにより、表示部２２に保持されている画像情報を上書きすることもでき、このような上書き処理によっても幾度も再使用することができる。
したがって、光書き込み型電子ペーパＥＰは、紙のように薄く柔軟である性質に加えて、画像の投影により転写された画像情報を無電源保持する性質があるので、あたかもプリンタや複写機に使用する紙の如く用いることができ、しかも、繰り返し再使用することができる表示記録媒体である。
【００３５】
更に、本例の光書き込み型電子ペーパＥＰは、表示部２２によるドキュメント画像の表示保持機能に加えて、無線通信機能２５及びメモリ機能２６を備えているので、表示部２２へのドキュメント画像の書き込みに伴って当該ドキュメントのＩＤコードデータを無線部２５で受信してメモリ２６に保持し、編集処理において、表示部２２に表示保持しているドキュメントをスキャナ１０で画像読み取りさせる際には、メモリ２６に保持している当該ドキュメントのＩＤコードデータを無線部２５で送信して無線通信機１１に受信させることができる。
【００３６】
図１６（ａ）には自己書き込み型電子ペーパＥＰを正面視して示し、同図（ｂ）には当該自己書き込み型電子ペーパＥＰを側面視で示してある。図示の電子ペーパＥＰはドキュメント画像を表示保持する表示部４２と電子データの処理を司る処理部４３とを有しており、同図（ａ）には処理部４３に内蔵されている諸機能部も表してある。
自己書き込み型電子ペーパＥＰは、光書き込み型電子ペーパＥＰと同様に、例えばＡ４版の用紙のような大きさのフレキシブルな薄型の表示記録装置であり、大部分の面積を占める表示部４２の一片に処理部４３が設けられている。なお、光書き込み型電子ペーパと同様に、表示部４２の大きさは用途に応じた大きさのものとされる。
【００３７】
処理部４３には、後述するように表示部４２を駆動するドライバ４４、外部と無線通信するための無線部４５、電子データを読み書き自在に保持するメモリ４６、ドライバ４４や無線部４５やメモリ４６の駆動電力を供給するバッテリ４７、ドライバ４４による画像情報表示に対する操作入力を受け付けるボタン等の操作部４８が設けられている。
自己書き換え型電子ペーパＥＰは、無線通信機１１等の外部の無線装置と無線部４５で無線通信することにより電子データを送受信し、また、これら電子データをメモリ４６に保持することができる。
【００３８】
更に、自己書き込み型電子ペーパＥＰは、光書き込み型電子ペーパとは異なって、メモリ４６に保持した電子データに基づいてドライバ４４が表示部４２に画像情報を表示し、また、操作部４８からの操作入力に応じて表示する画像情報を切り換え変更することができ、ドライバ４４の駆動電力を除去しても表示部４２に画像情報を表示状態で保持し続ける機能を有している。
自己書き込み型電子ペーパＥＰは、表示部４２の断面構造を表す図１８に示すように、複写機にトナーとして利用されている微細な着色粒子（図示の例では、白色粒子５１と黒色粒子５２）を少なくとも表面側が透明な表裏一対の電極５３間に封入し、これを少なくとも表面側が透明な表裏一対のフィルム基板５４で挟んだ構造となっている。着色粒子５１、５２が自由に移動できるように電極層５３間は空気層となっており、また、マトリックス状の電極層５３には着色粒子５１、５２との接触を防止する絶縁層５５が設けられている。なお、カラーフィルターを用いることにより、簡単な構造でカラー表示を実現することも可能である。
【００３９】
そして、自己書き込み型電子ペーパＥＰは、表示部４２の動作原理を表す図１７に示すように、電極５３に電圧を印加していない状態（但し、電極５３は前回の駆動時の極性に帯電している）では、負（マイナス）に帯電した白色粒子５１は裏面側に溜まる一方、正（プラス）に帯電した黒色粒子５２は表面側に溜まり、表示部４２を表面側から目視すると表示部４２は黒色な状態となる。そして、電子データに基づいてドライバ４４が動作して表示する画像情報に応じたマトリックスの所要部の電極極性を反転させると、白色粒子５１と黒色粒子５２との位置関係が入れ替わって、表示部４２に白色粒子５１と黒色粒子５２とのコントラストによる画像情報が表示される。なお、異なる電子データに基づいてドライバ４４を動作させることにより、白色粒子５１と黒色粒子５２とのコントラストにより表示部４２に表示される画像情報を切り換えることができ、幾度も再使用することができる。
したがって、自己書き換え型電子ペーパＥＰは、紙のように薄く柔軟である性質に加えて、表示部４２に表示保持した画像情報を無電源保持する性質があるので、あたかも紙の如く用いることができる記録媒体である。
【００４０】
更に、本例の自己書き込み型電子ペーパＥＰは、表示部４２によるドキュメント画像の表示保持機能に加えて、無線通信機能４５及びメモリ機能４６を備えているので、表示部４２に表示させるドキュメントの電子データを無線部４５から受信させてメモリ４６に書き込む際に、これらドキュメントに対応するドキュメントＩＤコードも受信させてメモリ４６書き込んで保持させ、編集処理において、表示部４２に表示保持しているドキュメントをスキャナ１０で画像読み取りさせる際には、メモリ４６に保持している当該ドキュメントのＩＤコードデータを無線部４５で送信して無線通信機１１に受信させることができる。
【００４１】
なお、光書き込み型や自己書き込み型等の形式を問わず、無線部２５（４５）、メモリ２６（４６）、バッテリ２７（４７）等といった無線通信機能やメモリ機能部を電子ペーパーの表示部とは別の無線ＩＣタグとして構成し、当該無線ＩＣタグを電子ペーパーに取り付けることにより上記と同様な構成とするようにしてもよい。なお、無線ＩＣタグとした場合等において、バッテリ２７（４７）はタグリーダーからの起電力を保持するコンデンサとするようにしてもよい。
また、本発明は、自己書き込み型電子ペーパーや光書き込み型電子ペーパーといった形式以外の電子ペーパーも勿論適用することができ、例えば、外部の書き換え装置に装填して表示部に自己書き込み型のように電子的にコンテンツ画像を書き込む形式であってもよい。すなわち、上記の自己書き込み型電子ペーパーは外部の画像書き込み装置を要しない形式の電子ペーパーの一例であり、光書き込み型電子ペーパーは外部の画像書き込み装置を要する形式の電子ペーパーの一例であるとも言える。
また、電子ペーパーの表示部２（１２）としては、強誘電液晶に代表されるメモリー性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリー駆動の薄型の液晶やＥＬ素子を用いてもよい。
【００４２】
図２に示す第２実施例では、編集作業に際して、使用する電子ペーパＥＰの形式に応じた書き込み処理により、編集対象のドキュメントＤ１、Ｄ２を電子ペーパＥＰの表示部（２２，４２）に表示保持させるとともにメモリ（２６、４６）に表示保持しているドキュメントのＩＤコードを保持させておく。
そして、ユーザが当該ドキュメントＤ１、Ｄ２中の所望の部分ｄ１、ｄ２、ｄ３を囲み線Ｌを電子ペーパＥＰに書き込んでマーキングして、電子ペーパＥＰに表示保持されているドキュメントをスキャナ１０によって画像読み取りさせる。ここで、電子ペーパＥＰに対するマークＬの書き込みは、用紙に対すると同様に行うことができる。
【００４３】
この画像読み取り処理を行うことに応じて、無線通信機１１がスキャナ１０上の電子ペーパと通信して、電子ペーパＥＰが保持している表示ドキュメントのＩＤコードを当該電子ペーパＥＰから受信する。なお、例えばスキャナ１０のプラテン上を通信エリアに設定するようにすれば、画像読み込みされている電子ペーパＥＰからドキュメントＩＤコードを受信することができる。
本第２実施例でも、部分特定手段２によるマーク指定部分ｄ１、ｄ２、ｄ３の特定処理、データ取得手段３によるマーク指定部分ｄ１、ｄ２、ｄ３に該当するドキュメント電子データの抽出処理、編集手段４によるドキュメント部分ｄ１、ｄ２、ｄ３を配した新たなドキュメントＮＤの電子データ作成処理は、第１実施例と略同様であるが、本第２実施例ではドキュメントＩＤコードを直接データとして受信して画像読み取りするドキュメント電子データを識別するため、バーコード等の画像認識処理を省くことができる。
【００４４】
したがって、第２実施例のドキュメント編集システムによると、電子ペーパＥＰを用紙Ｐと同じように使用して、ユーザが電子ペーパＥＰに表示保持されたドキュメントＤ１、Ｄ２中の必要な部分ｄ１、ｄ２、ｄ３に囲み線Ｌを付して画像読込みさせる作業をするだけで、纏め編集のための煩雑なコンピュータ操作を行わないドキュメント電子データをユーザが手にとって編集するが如き作業により、ドキュメント電子データを編集して新たなドキュメント電子データＮＤを生成することができる。
【００４５】
図３には本発明の第３実施例に係るドキュメント編集システムを示してあり、本実施例では媒体としての複数の用紙Ｐに編集対象の複数のドキュメントをそれぞれ印刷して表示保持させ、それぞれ別の用紙Ｐに表示保持されている複数のドキュメント（本例では、内容画像「Ａ」のドキュメントＤ１と、内容画像「Ｂ」のドキュメントＤ２）を、各用紙Ｐの画像読み取りの位置関係に従って纏め編集して、これらドキュメント内容を纏めた新たなドキュメントＮＤを生成している。
なお、図１に示した例と同様な部分には同一符号を付して重複する説明は省略する。
【００４６】
本実施例では、第１実施例や第２実施例とは異なって、ドキュメント部分を抽出して編集するのではなく、複数のドキュメントに対して各ドキュメントの内容をそのまま抽出して編集するものであるため、部分特定手段２を省いた構成となっている。
また、本実施例では、第１実施例や第２実施例とは異なって、スキャナ１０による画像読み取り領域（本例では、スキャナ１０のプラテン１０ａに画した領域）内での各ドキュメントの配置に応じて、纏め編集のレイアウト配置を行うため、レイアウト編集装置１は画像読み取り処理における各ドキュメントの位置関係を特定する位置特定手段７を備えている。
【００４７】
本実施例では、ユーザは、用紙Ｐに印刷されたドキュメントＤ１、Ｄ２をスキャナ１０により画像読み取りさせる。
位置特定手段７は、スキャナ１０により読み取られた各ドキュメントＤ１、Ｄ２の画像読み取り領域における位置を特定する。この特定処理は、図３中に破線で示すように、スキャナのプラテン１０ａを読み取り領域として、当該領域内のドキュメントが置かれた位置を画像解析して特定することにより行う。なお、この画像読み取りにより各ドキュメントに付されたドキュメントＩＤコード（バーコード）Ｃもドキュメントとともに読み込まれて画像解析され、位置特定された各ドキュメントはそれぞれＩＤコードにより識別される。
【００４８】
そして、データ取得手段３は、位置特定手段７により配置特定された各ドキュメントＤ１、Ｄ２の電子データをＩＤコードＣに基づいてデータ保持手段６から取得し、次いで、編集手段４は、データ取得手段３により取得された複数のドキュメントＤ１、Ｄ２の電子データに基づいて、これらドキュメントＤ１、Ｄ２を位置特定手段７で特定された画像読み取りの際の位置関係でレイアウトした編集ドキュメントＮＤを生成する。
図示の例では、ドキュメントＤ１を画像読み取り領域１０ａの左上に位置させて画像読込みし、ドキュメントＤ２を画像読み取り領域１０ａの右下に位置させて画像読込みしたことに応じて、ドキュメントＤ１（内容「Ａ」）をドキュメントフォームであるページの左上に配置し、ドキュメントＤ２（内容「Ｂ」）をページの右下に配置した新たなドキュメントＮＤの電子データを作成する。
【００４９】
したがって、第３実施例のドキュメント編集システムによると、ユーザが用紙Ｐに表示されたドキュメントＤ１、Ｄ２を画像読込みさせる作業をするだけで、これらドキュメントＤ１、Ｄ２を画像読み取りさせた配置関係で纏め編集することができ、煩雑なコンピュータ操作を行わないドキュメント電子データをユーザが手にとって編集するが如き作業により編集して新たなドキュメント電子データＮＤを生成することができる。
【００５０】
図４には本発明の第４実施例に係るドキュメント編集システムを示してあり、本実施例では媒体としての複数の電子ペーパＥＰに編集対象の複数のドキュメントをそれぞれ記録して表示保持させ、それぞれ別の電子ペーパＥＰに表示保持されている複数のドキュメント（本例では、内容画像「Ａ」のドキュメントＤ１と、内容画像「Ｂ」のドキュメントＤ２）を、各電子ペーパＥＰの画像読み取りの位置関係に従って纏め編集して、これらドキュメント内容を纏めた新たなドキュメントＮＤを生成している。
なお、図１〜図３に示した例と同様な部分には同一符号を付して重複する説明は省略し、電子ペーパＥＰは前記したような表示記録装置である。
【００５１】
本実施例でも第３実施例と同等な処理を行って複数のドキュメント電子データを纏め編集して新たなドキュメント電子データＮＤを生成するが、本実施例では各電子ペーパＥＰがメモリ（２６、４６）に保持している表示ドキュメントのＩＤコードを無線通信機１１により受信するため、バーコード等の画像認識処理を省くことができる。
したがって、本実施例によっても、ユーザが電子ペーパＥＰに表示されたドキュメントＤ１、Ｄ２を画像読込みさせる作業をするだけで、これらドキュメントＤ１、Ｄ２を画像読み取りさせた配置関係で纏め編集することができ、煩雑なコンピュータ操作を行わないドキュメント電子データをユーザが手にとって編集するが如き作業により編集して新たなドキュメント電子データＮＤを生成することができる。
【００５２】
図５には本発明の第５実施例に係るドキュメント編集システムを示してあり、本実施例では媒体としての複数の用紙Ｐに編集対象の複数のドキュメントＤ１、Ｄ２をそれぞれ印刷して表示保持させ、それぞれの用紙Ｐに表示保持されているドキュメント中の部分ｄ１、ｄ２、ｄ３を、各用紙Ｐの画像読み取りの位置関係に従って纏め編集して、これらドキュメント部分ｄ１、ｄ２、ｄ３を纏めた新たなドキュメントＮＤを生成している。
なお、図１〜図４に示した例と同様な部分には同一符号を付して重複する説明は省略する。
【００５３】
本実施例では、第１実施例と第３実施例とを融合させたシステム構成であり、スキャナ１０で画像読み取りしたドキュメントＤ１、Ｄ２中のマークＬによって指定された部分ｄ１、ｄ２、ｄ３を部分特定手段２で特定して抽出するとともに、スキャナ１０による画像読み取り領域（本例では、プラテン１０ａに画した領域）内での各ドキュメントＤ１、Ｄ２（すなわち、ドキュメント部分ｄ１、ｄ２、ｄ３の配置を位置特定手段７で特定して、当該配置関係に応じて、抽出したマーク指定部分ｄ１、ｄ２、ｄ３の纏め編集のレイアウト配置を行う。
【００５４】
本実施例では、ユーザは、用紙Ｐに印刷されたドキュメントＤ１、Ｄ２中に所望の部分ｄ１、ｄ２、ｄ３をマークＬを付すことで指定して、これらドキュメントＤ１、Ｄ２をドキュメントＩＤコード（バーコード）Ｃとともにスキャナ１０により画像読み取りさせる。
部分特定手段２が画像読み取りされたドキュメントＤ１、Ｄ２中からマーク指定部分ｄ１、ｄ２、ｄ３を特定するとともに、位置特定手段７がこれら特定されたマーク指定部分ｄ１、ｄ２、ｄ３の画像読み取り領域１０ａにおける位置を特定する。
【００５５】
そして、データ取得手段３が、位置特定手段７により配置特定された各ドキュメント部分ｄ１、ｄ２、ｄ３の電子データをＩＤコードＣに基づいてデータ保持手段６から取得し、次いで、編集手段４がデータ取得手段３により取得された複数のドキュメント部分ｄ１、ｄ２、ｄ３の電子データに基づいて、これらドキュメント部分ｄ１、ｄ２、ｄ３を位置特定手段７で特定された画像読み取りの際の位置関係でレイアウトした編集ドキュメントＮＤを生成する。
図５に示す例では、図中に破線で示すように、ドキュメントＤ１を画像読み取り領域１０ａの右側に位置させて画像読込みし、次いで、ドキュメントＤ２を画像読み取り領域１０ａの左側に位置させて画像読込みしたことに基づいて、これら読み取り順序と配置関係を反映させて、ドキュメントＤ１に含まれるマーク指定部分ｄ１はページの右下に配置し、ドキュメントＤ２に含まれるマーク指定部分ｄ２、ｄ３はそれぞれの位置関係を反映させて左上から順に配置した新たなドキュメントＮＤの電子データを作成する。
【００５６】
図１１には、上記の画像の読み取り順及び配置関係に応じたマーク指定部分の具体的なレイアウト配置例を示してある。
図示の例は、３つのドキュメント部分ｄ１、ｄ２、ｄ３を順に画像読み取りした場合、これらマーク指定部分ｄ１、ｄ２、ｄ３を当該読み取り順序にページの左から並べ、更に、マーク指定部分ｄ１、ｄ２、ｄ３をプラテン１０ａにおける位置を反映させた位置関係で配置して編集ドキュメントＮＤを生成するものである。なお、画像読み取りのスキャン方法は、複数のドキュメント用紙をスキャナ１０のプラテン１０ａに順々に載せ換えて１枚ずつ画像読み取りしても、或いは、これら複数のドキュメント用紙を同時にスキャナ１０のプラテンに乗せて連続して画像読み取りしてもよい。
【００５７】
したがって、第５実施例のドキュメント編集システムによると、ユーザが用紙Ｐに表示されたドキュメントＤ１、Ｄ２中に所要部分ｄ１、ｄ２、ｄ３のマークＬを付して画像読込みさせる作業をするだけで、これらマーク指定部分ｄ１、ｄ２、ｄ３を画像読み取りさせた配置関係で纏め編集することができ、煩雑なコンピュータ操作を行わないドキュメント電子データをユーザが手にとって編集するが如き作業により編集して新たなドキュメント電子データＮＤを生成することができる。
【００５８】
図６には本発明の第６実施例に係るドキュメント編集システムを示してあり、本実施例では媒体としての複数の電子ペーパＥＰに編集対象の複数のドキュメントＤ１、Ｄ２をそれぞれ記録して表示保持させ、これらドキュメントＤ１、Ｄ２中のマークＬを付して指定された部分ｄ１、ｄ２、ｄ３を、各部分ｄ１、ｄ２、ｄ３の読み取り順及び位置関係に従って纏め編集して、これら部分ｄ１、ｄ２、ｄ３を纏めた新たなドキュメントＮＤを生成している。
なお、図１〜図５に示した例と同様な部分には同一符号を付して重複する説明は省略し、電子ペーパＥＰは前記したような表示記録装置である。
【００５９】
本実施例でも第５実施例と同等な処理を行って複数のドキュメント部分の電子データを纏め編集して新たなドキュメント電子データＮＤを生成するが、本実施例では各電子ペーパＥＰがメモリ（２６、４６）に保持している表示ドキュメントのＩＤコードを無線通信機１１により受信するため、バーコード等の画像認識処理を省くことができる。
したがって、本実施例によっても、ユーザが電子ペーパＥＰに表示されたドキュメントＤ１、Ｄ２を所望部分にマークＬを付して画像読込みさせる作業をするだけで、これらマーク指定部分ｄ１、ｄ２、ｄ３を画像読み取りさせた配置関係で纏め編集することができ、煩雑なコンピュータ操作を行わないドキュメント電子データをユーザが手にとって編集するが如き作業により編集して新たなドキュメント電子データＮＤを生成することができる。
【図面の簡単な説明】
【００６０】
【図１】本発明の第１実施例に係るドキュメント編集システムを示す図である。
【図２】本発明の第２実施例に係るドキュメント編集システムを示す図である。
【図３】本発明の第３実施例に係るドキュメント編集システムを示す図である。
【図４】本発明の第４実施例に係るドキュメント編集システムを示す図である。
【図５】本発明の第５実施例に係るドキュメント編集システムを示す図である。
【図６】本発明の第６実施例に係るドキュメント編集システムを示す図である。
【図７】本発明の実施例に係るドキュメントの構造化データを説明する図である。
【図８】本発明の実施例に係るドキュメント部分のレイアウト配置を説明する図である。
【図９】本発明の実施例に係るドキュメント部分のレイアウト配置を説明する図である。
【図１０】本発明の実施例に係るドキュメント部分のレイアウト配置を説明する図である。
【図１１】本発明の実施例に係るドキュメント部分のレイアウト配置を説明する図である。
【図１２】光書き込み型電子ペーパーを示す図である。
【図１３】光書き込み型電子ペーパーの使用方法を説明する図である。
【図１４】光書き込み型電子ペーパーの動作原理を説明する図である。
【図１５】光書き込み型電子ペーパーの構造を説明する図である。
【図１６】自己書き換え型電子ペーパーを示す図である。
【図１７】自己書き換え換え型電子ペーパーの動作原理を説明する図である。
【図１８】自己書き換え型電子ペーパーの構造を説明する図である。
【符号の説明】
【００６１】
１：レイアウト編集装置、  ２：部分特定手段、
３：データ取得手段、  ４：編集手段、
６：データ保持手段、  ７：位置特定手段、
１０：スキャナ（画像読み取り手段）、  １１：無線通信機、
２５、４５：無線通信部、  ２６、４６：メモリ、
Ｃ：ドキュメントＩＤコード（バーコード）、  Ｄ１、Ｄ２：ドキュメント、
ｄ１、ｄ２、ｄ３：ドキュメント部分、  ＥＰ：電子ペーパ、
Ｌ：マーク、  ＮＤ：編集ドキュメント、
Ｐ：用紙、
【図１】
2005269136.tif 000003
【図２】
2005269136.tif 000004
【図３】
2005269136.tif 000005
【図４】
2005269136.tif 000006
【図５】
2005269136.tif 000007
【図６】
2005269136.tif 000008
【図７】
2005269136.tif 000009
【図８】
2005269136.tif 000010
【図９】
2005269136.tif 000011
【図１０】
2005269136.tif 000012
【図１１】
2005269136.tif 000013
【図１２】
2005269136.tif 000014
【図１３】
2005269136.tif 000015
【図１４】
2005269136.tif 000016
【図１５】
2005269136.tif 000017
【図１６】
2005269136.tif 000018
【図１７】
2005269136.tif 000019
【図１８】
2005269136.tif 000020